(57)【要約】  〔目的〕廃石こうと廃食油とをリサイクルした土壌改良剤の提供。  〔構成〕廃石こうに対し，焼石こう５０〜１５０重量％，廃食油５０〜１８０重量％および水を必須成分として配合し固結させて成る土壌改良剤。  〔効果〕廃石こうの埋めたて，廃食油の焼却処理を抑制し地球環境保全に効果を奏する。【特許請求の範囲】
【請求項１】
廃石こうに対し，焼石こう５０〜１５０重量％，廃食油５０〜１８０重量％および水を必須成分として配合し固結させて成る土壌改良剤。
【発明の詳細な説明】
【技術分野】
【０００１】本発明は，廃石こうボードなどの石こう廃材より回収された廃石こうおよび廃食油をリサイクルして土壌改良剤として再利用する技術に関する。
〔背影技術〕【０００２】統計によれば廃石こうは年間約１２６万トン，廃食油は年間約４０万トン（業務用約２０万トン，一般家庭から約２０万トン）が排出されているとされている。【０００３】廃石こうを再生して焼石こうとして石こうボードに再利用する技術は確立されているが，該石こうの結晶が微細であることや混練時の水比が増大し強度が低下するなどの技術上の問題および経済性の点から，廃石こうの再生焼石こうへのリサイクル率は低く埋めたて処分されているのが大半というのが現状である。【０００４】また，廃食油は業務上発生する約２０万トンについては回収再利用が比較的普及しているが，家庭より排出される約２０万トンについては回収システムが未整備であり大別して下記の処理が行われている。
（１）各家庭で吸わせるか固めてごみとして廃棄する。
（２）手づくり石けんの材料として利用する。
（３）軽油代替燃料として再生利用する。
〔発明の開示〕
〔発明が解決しようとする課題〕【０００５】ところが，廃石こうボードは複合材であることから異物たとえば壁紙が６〜８％含まれており，これを再生焼石こうとして再利用普及するためにはその分離が必要であり生産性，経済性の点で問題があるとされている。
また，廃棄物としての埋めたて処分地の確保も年ごとに困難さを増しつつある。【０００６】一方，廃食油の焼却に際して発生する二酸化炭素ガスは重量比で約７０％（炭素換算）とされているので，約２０万トンの廃食油の焼却によって生じる二酸化炭素量は約１４万トンとなり家庭よりごみとして排出される廃食油を焼却処理することは地球温暖化防止上好ましいことでない。
また，廃食油を軽油代替燃料として再生利用することは，それなりに意義があるがエンジン内で形を変えて燃焼させるので二酸化炭素削減の観点からは上記の焼却処理と大差はない。【０００７】以上要するに，廃石こうについてはとくに今後の埋めたて処分地の確保の問題，廃食油については二酸化炭素削減の問題で従来技術ではこれらを解決できず新しい発想による技術的解決が望まれている現状にある。【０００８】本発明は，上述の現状に鑑みなされたもので，６〜８％の紙その他の異物を含有した廃石こうを焼石こうに再生する工程を経ずにそのままの形で廃食油と共用して，前述の課題を解決し廃石こうと廃食油とをリサイクル利用する技術を提供することを目的としている。
〔課題を解決するための手段〕【０００９】前記目的を達成するために，本発明者は古来とくに農村地域で廃食油が有機質肥料源としてたとえば植木のまわりに穴を掘って埋めることが行われてきたこと，また，石こう（硫酸カルシウム）がカルシウムの供給源として土壌改良資材として用いられていることに着目して，この両材料を結合して新しいタイプの土壌改良剤とすることを検討した結果【００１０】（１）廃石こうに焼石こうを加えて廃食油で湿潤した後水を加えてかきまぜると，廃石こうを核としてそのまわりに廃食油を巻きこんだ形で焼石こうによる固結物が形成され一体的なべとつきのない固結生成物がえられること。
（２）生成物に廃食油を多く含ませるには，焼石こうと吸液性の粉末またはか粒とくに細孔をもった粉末またはか粒を併用すれば効果があること。
（３）土壌改良剤として用いた際の害虫忌避効果を付与するために，水として木酢液を用いることが有効なこと。
を見出して本発明を完成したものである。【００１１】すなわち，本発明は廃石こうに対し特定比で焼石こうと廃食油および水を配合して固結させてえられる土壌改良剤を要旨としている。
〔発明の効果〕【００１２】従来は埋めたてるべき廃棄物が有効利用されることによる埋立地の延命に寄与すること，および廃食油の焼却による二酸化炭素の発生を削減できることは地球環境保全の面で大きい効果をもつものである。この点は従来技術で到底達成できなかったものである。【００１２】本発明土壌改良剤は，本来は廃棄していた廃石こうと廃食油とを主材料としているので材料面で安価であり，また，調製するのに加熱が不要でミキサーで３〜１０分間かきまぜて自然乾燥すればよく製造コストが安くつき経済性がすぐれている。【００１３】廃石こうは，土壌中に入って害を及ぼす有害重金属や有害化学物質を含有していない限り紙類や繊維くずを分離する必要もなく使用でき，また，廃食油も揚げ物かすが入っていてもそのまま利用できるので材料面での確保が容易である利点がある。【００１４】土壌改良剤はべとつきのない粉状乃至は粒状物としてえられるので取扱に便利であり，田畑などの農地，家庭園芸，または公園などの緑地に用いて有機質肥料およびカルシウムの補給源として有用であり廃棄物のリサイクル有効利用としての効果は大きいものがある。
〔発明を実施するための最良の形態〕【００１５】本発明で用いる廃石こうとしては，廃石こうボードその他の石こう製品から分離した石こうであればとくに制限することなく用いうる。含まれる石こう分以外の異物については，土壌中に入れた場合土壌の汚染の原因になる物質たとえば有害重金属や有害化学物質でなければ５０重量％以下の混入率で許容されるが好ましくは３０重量％以下が望ましい。【００１６】用いる廃食油としては，たとえば揚げ物かすなどの食品かすが混入していてもとくに問題なく用いうるが，古くなって酸敗し異臭を放つ廃食油の使用は爾後の土壌改良剤として取扱いに不利であるから使用をさけた方が望ましい。【００１７】焼石こうとしては，硫酸カルシウムの一水塩または半水塩であればその製法，粒度に関係なく用いることができる。
また，水については精製水とする必要はなく一般に用いる水道水でよい。肥効効果を付与するために用いる水に液肥を混合することは任意に行ってよい。【００１８】本発明は廃石こうと廃食油とを土壌改良剤に再利用する技術を主とするが，えられた土壌改良剤に施用すべき用土中の害虫忌避や殺菌の作用効果を付与するために望ましくは用いる水として木酢液を用いた方がよい。【００１９】本発明でえられる土壌改良剤に，構成成分として比較的多くの廃食油を含ませたい場合は，吸液性の粉末またはか粒を焼石こうと併用することが効果的であることは前述したが，この目的で用いられる材料としては構造的に細孔をもった酸化アルミニウム，ゼオライト，軽石またはパルプやセルロースが好適に用いられる。その用いる量は，経済性から焼石こうに対して１〜２０重量％が望ましい。【００２０】本発明で用いる各成分の量比は，廃石こうに対して焼石こうを５０〜１５０重量％好ましくは８０〜１００重量％，廃食油を５０〜１８０重量％好ましくは１００〜１５０重量％を用いるものであり，廃石こうの含水率および廃食油の粘度およびえられる土壌改良剤の望ましい性状に応じて選べばよい。【００２１】固結するのに必要な水量はおもに廃石こうの吸水能と廃食油の使用量に左右され，廃石こうと焼石こうおよび廃食油の混合物が湿潤状態になる量とすればよい。通常は廃石こうの２０〜１００重量％が用いられ，この範囲外であると固結が不十分であったり固結乾燥に要する時間が長びいたりして不利である。【００２２】焼石こうの５０重量％未満の使用は固結が不十分なため，また１５０重量％を超える量の使用は結果的に廃石こうの使用比率が４０％以下に減り，廃石こうの再利用という本発明の趣旨を損うので好ましくない。【００２３】廃食油の５０重量％未満の使用は本発明土壌改良剤中への廃食油成分の含有率が減り，本発明の目的のひとつである廃食油の再利用という趣旨を満たしがたいことから，また，１８０重量％を超える量の使用はえられる土壌改良剤にべとつきが残り取扱上不便であることから本発明より除かれる。【００２４】本発明土壌改良剤の調製には，各成分を選択した比率に従って秤りとり３〜１０分間かきまぜた後取り出し拡げて自然乾燥すれば約１〜２時間後にべとつきのない固結物としてえられる。この際，固結物として均一性をうるために廃石こうと焼石こうを予め廃食油で湿潤した後水を加えてかきまぜる方法を採用した方がより望ましい。【００２５】本発明土壌改良剤の有機質成分を高めるために，野菜を主とする生ごみを廃食油と併用するとか，チッソ，リン，カリなどの肥効成分，各種ミネラル成分あるいは土壌有用微生物などを添加することは固結を妨げない１〜１０重量％の範囲で任意に行ってよい。【００２６】本発明土壌改良剤を使用するには，用土の１〜５容量％を用土に均一に混合して用いることか，鉢やプランターにおいて株のまわりに６号鉢で約１０ｇ，２８×８０ｃｍのプランターで約７０ｇ，植木のまわりに１００〜３００ｇ，菜園の１ｍ２当り２００〜４００ｇを用いるなどすればよいが，好ましくは用土で表面を覆うがよい。
〔実施例１〕【００２７】廃石こうボードより回収した石こう粉末（鈴木工業株式会社）１００ｇと焼石こう（睦化学工業株式会社）１００ｇとを均一に混合する。廃食油１１０ｇを加えて湿潤させた後水道水５５ｇを加え３分間かきまぜて放置し２時間後にえられた生成物はおから状の外観を示した。【００２８】こうしてえられた本発明土壌改良剤を２ヶ月放置した後その効果を確認するため以下のテストを行った。
市販園芸用赤玉土と腐葉土とを容量比で７：３に混合し，これに肥料としてヨウリンを２ｇ／ｌの割合で混合した用土に本土壌改良剤を容量比で３％加えて混合し６号素焼鉢に１．４ｌ充てんする。一方，土壌改良剤を加えない上記用土を対照区とする。【００２９】上記鉢のそれぞれ２鉢にハツカダイコン（株式会社トーホク，ホワイトアイスクル）の種子を１鉢あたり６粒播種し，発芽後エド液野菜用液肥（住化タケダ園芸株式会社）５００倍液を一週間に１回与える。６週間後に抜きとり生育量を調べた結果本発明土壌改良剤施用鉢が対照区にくらべ約１０％まさっていた。なお，生育量は３株平均の生量（ｇ／株）で比較した。
〔実施例２〕【００３０】廃石こう（吉野石こう株式会社）１００ｇ，焼石こう（丸石石こう株式会社）８５ｇ，天然ゼオライト（日東粉化工業株式会社，粒度２〜３ｍｍφ）８ｇ，パルプ粒状物（ペットライン株式会社，粘度２〜３ｍｍφ）７ｇの混合物に廃食油１４０ｇを加えてかきまぜた後市販木酢液（大幸ＴＥＣ株式会社）７０ｇを加えてかきまぜて放置したものは約２時間後にべとつきのない粉状乃至粒状物としてえられた。実施例１において，焼石こうの１５％を細孔をもった吸液性か粒に置換した本例では廃食油の含有量を約２８％増やすことができた。【００３２】上記土壌改良剤の害虫忌避効果を調べるために下記のテストを行った。
ペチュニアを植えた６号鉢２鉢を用意し一鉢の内側縁に本土壌改良剤１０ｇを散布した。対照として他の一鉢にメタアルデヒド成分の市販なめくじ殺虫剤（住化タケダ園芸株式会社，商品名ナメトックス）１０ｇを同様に散布した。これらの鉢を屋外に置き２〜３日おきに潅水してなめくじの寄生を比較したところ，本土壌改良剤を散布した鉢は約２０日間にわたってなめくじの侵入がなかったのに対し対照鉢は薬剤にべとつきを生じ一部は潅水によって流失して６日後になめくじの殺虫効果がなくなった。【００３３】比較例として，本例において廃石こうと吸液性か粒とを用いずに焼石こうと代置した配合すなわち焼石こうのみを２００ｇ用いて同様に調製したところ，えられた生成物は鉄鎚で割る程の硬度があり，しかも水分と油分が液状で残った。この結果から，焼石こうのみを使用して本発明と同様の土壌改良剤を調製することは困難であることが明らかになった。
〔実施例３〕【００３４】実施例１において焼石こうの量を５０ｇとして同様に調製したところ，生成物は固結状態が不揃で固結した部分には液が残りしかもべとつきを示した。この結果から，廃石こうに対して焼石こうの使用量は５０重量％が下限量と判断されるに至った。
〔実施例４〕【００３５】廃石こう１００ｇに対し，焼石こうの１５０ｇ，廃食油の１８０ｇおよび水の７０ｇを用いて前記例同様に調製してえられた生成物は，部分的に硬度の高い固結物がまざり均一性を欠き，しかも全体にべとつきが残って取扱上不便であった。この結果から，廃食油の使用量は廃石こうに対して１８０重量％を超えないこと。また，焼石こうの使用量は１５０重量％を限度にすることが望ましいことが判明した。
〔実施例５〕【００３６】実施例２の配合において，木酢液７０ｇに代えて水道水２０ｇを用いた場合は混合物全体の湿潤が十分でなく固結も不十分であった。また，水を１０１ｇ用いた場合はしめり程度が大きく乾燥に３日を要した。この結果から，水の使用量は廃石こうに対して２０重量％乃至１００重量％が適当と判断された。
〔実施例６〕【００３７】廃石こう１００ｇ，２〜３ｍｍφの市販軽石２０ｇ，焼石こう８０ｇ，細断した野菜くず２０ｇの混合物に廃食油１３０ｇを加えてかきまぜた後，市販液肥の５００倍うすめ液７０ｇを加えてかきまぜ２時間放置する。これをプラスチック容器にひろげて約３ヶ月放置して発酵腐熟させた。
こうしてえられた本発明土壤改良剤は堆肥代わりに菜園に用いて有用であった。
〔実施例７〕【００３８】実施例１において，水道水を先に加えてその後廃食油を加えて同様に調製したところ，本発明土壌改良剤とするには問題はなかったが，えられた生成物に部分的に焼石こうと水との反応生成物とみられる白色粒状物がまざり均一性に欠ける結果を招いた。
〔産業上の利用可能性〕【００３９】上述したように，本発明土壌改良剤は材料面で安価でしかも容易に入手できること，施用後の安全性と環境への負荷がないこと，調製作業が簡便であることおよび土壌改良剤としての効果が認められることから，緑化事業や農園芸作業における利用の可能性は高いものがある。
さらに，廃棄物の減量や再利用という社会的要請にかなうものとして廃棄物処理の立場からもその利用度は高いものがあると判断される。